(57)【要約】【課題】  感覚刺激が与えられた生体からの脳活動情報を取得する方法として、精度の高い方法が求められていた。【解決手段】  感覚刺激が与えられた生体からの脳活動情報を取得する情報取得方法であって、感覚刺激を与える前及び後に、生体の大脳皮質視覚野、大脳皮質聴覚野、大脳皮質平衡感覚野のうち少なくともいずれか一つの領野に対して、経時変化する刺激を与えるとともに、前記領野における少なくとも一つの領域の脳活動を計測し、計測された脳活動のデータに基づいて、脳活動情報を取得することを特徴とする。【選択図】  図１
2013233424.tif 000002
【特許請求の範囲】
【請求項１】
感覚刺激が与えられた生体からの脳活動情報を取得する情報取得方法であって、
（１）前記生体の大脳皮質視覚野、大脳皮質聴覚野、大脳皮質平衡感覚野のうち少なくともいずれか一つの領野に対して、経時変化する刺激を与える工程
（２）前記経時変化する刺激を与えられているときの、前記領野における少なくとも一つの領域の脳活動を計測する工程
（３）前記（２）の工程の後に、前記領野に対して前記感覚刺激を与える工程
（４）前記（３）の工程の後に、前記領野に対して、前記経時変化する刺激と略同一の刺激を与える工程
（５）前記略同一の刺激を与えられているときの、前記領野における少なくとも一つの領域の脳活動を計測する工程
（６）前記（２）で計測された脳活動のデータと、前記（５）で計測された脳活動のデータとに基づいて、前記脳活動情報を取得する工程、を含むことを特徴とする情報取得方法。
【請求項２】
前記感覚刺激が、視覚刺激であることを特徴とする請求項１に記載の情報取得方法。
【請求項３】
前記感覚刺激が映像であることを特徴とする請求項１または２に記載の情報取得方法。
【請求項４】
前記脳活動情報が前記生体のストレスに関する情報であることを特徴とする請求項１乃至３のいずれか一項に記載の情報取得方法。
【請求項５】
前記経時変化する刺激が、刺激量が異なる少なくとも２種類以上の刺激が交互に繰り返される刺激であることを特徴とする請求項１乃至４のいずれか一項に記載の情報取得方法。
【請求項６】
前記経時変化する刺激が、動画像と静止画像が交互に繰り返される映像であることを特徴とする請求項１乃至５のいずれか一項に記載の情報取得方法。
【請求項７】
前記（２）の工程および前記（５）の工程は、前記生体の脳の活動電位の変化、前記活動電位の変化に伴って生じる電磁場の変化、前記活動電位の変化に伴って生じる脳血流変化のいずれかを計測する工程を含むことを特徴とする請求項１乃至６のいずれか一項に記載の情報取得方法。
【請求項８】
前記領野は大脳皮質視覚野のＶ３Ａ、ＭＴ野、Ｖ７、Ｖ４ｖのいずれかであることを特徴とする請求項１乃至７のいずれか一項に記載の情報取得方法。
【請求項９】
前記（６）の工程は、前記（２）で計測された脳活動のデータから下記式（Ｉ）を用いて算出された同調度の値と、前記（５）で計測された脳活動のデータから下記式（Ｉ）を用いて算出された同調度の値との差分に基づいて脳活動情報を取得する工程を含むことを特徴とする請求項１乃至８のいずれか一項に記載の情報取得方法。
【数１】
2013233424.tif 000003
上記式（Ｉ）において、Ａ（ｆ）は周波数ｆにおけるパワースペクトル強度を表し、ｆ０は基本周波数を表す。
【請求項１０】
感覚刺激が与えられた生体からの脳活動情報を取得する情報取得装置であって、
生体の大脳皮質視覚野、大脳皮質聴覚野、大脳皮質平衡感覚野のうち少なくともいずれか一つの領野に対して、経時変化する刺激を与える刺激付与部と、
前記領野における少なくとも一つの領域の脳活動を計測する計測部と、
前記計測部に、前記刺激付与部によって前記領野に対して経時変化する刺激を与えているときの前記領野の脳活動を計測させるための計測制御部と、を有し、
前記領野に対して前記感覚刺激を与える前及び後に、それぞれ、
前記刺激付与部によって前記領野に対して前記経時変化する刺激を与えるとともに、前記領野における少なくとも一つの領域の脳活動を計測し、前記脳活動情報を取得すること、を特徴とする情報取得装置。
【請求項１１】
前記感覚刺激が、視覚刺激であることを特徴とする請求項１０に記載の情報取得装置。
【請求項１２】
前記感覚刺激が映像であることを特徴とする請求項１０または１１に記載の情報取得装置。
【請求項１３】
前記脳活動情報が前記生体のストレスに関する情報であることを特徴とする請求項１０乃至１２のいずれか一項に記載の情報取得装置。
【請求項１４】
前記経時変化する刺激が、刺激量が異なる少なくとも２種類以上の刺激が交互に繰り返される刺激であることを特徴とする請求項１０乃至１３のいずれか一項に記載の情報取得装置。
【請求項１５】
前記経時変化する刺激が、動画像と静止画像が交互に繰り返される映像であることを特徴とする請求項１０乃至１４のいずれか一項に記載の情報取得装置。
【請求項１６】
前記計測部は、前記生体の脳の活動電位の変化、前記活動電位の変化に伴って生じる電磁場の変化、前記活動電位の変化に伴って生じる脳血流変化のいずれかを計測することを特徴とする請求項１０乃至１５のいずれか一項に記載の情報取得装置。
【請求項１７】
前記領野は大脳皮質視覚野のＶ３Ａ、ＭＴ野、Ｖ７、Ｖ４ｖのいずれかであることを特徴とする請求項１０乃至１６のいずれか一項に記載の情報取得装置。
【請求項１８】
前記領野に対して前記感覚刺激を与える前に計測された脳活動のデータから下記式（Ｉ）を用いて算出された同調度の値と、
前記領野に対して前記感覚刺激を与えた後に計測された脳活動のデータから下記式（Ｉ）を用いて算出された同調度の値との差分に基づいて前記脳活動情報を取得することを特徴とする請求項１０乃至１７のいずれか一項に記載の情報取得装置。
【数２】
2013233424.tif 000004
上記式（Ｉ）において、Ａ（ｆ）は周波数ｆにおけるパワースペクトル強度を表し、ｆ０は基本周波数を表す。
【請求項１９】
感覚刺激が与えられた生体からの脳活動情報を取得する情報取得プログラムであって、
（１）生体の大脳皮質視覚野、大脳皮質聴覚野、大脳皮質平衡感覚野のうち少なくともいずれか一つの領野に対して、経時変化する刺激を与える工程
（２）前記経時変化する刺激を与えられているときの、前記領野における少なくとも一つの領域の脳活動を計測する工程
（３）前記（２）の工程の後に、前記領野に対して感覚刺激を与える工程
（４）前記（３）の工程の後に、前記経時変化する刺激と略同一の刺激を、前記領野に対して与える工程
（５）前記略同一の刺激を与えられているときの、前記領野における少なくとも一つの領域の脳活動を計測する工程
（６）前記（２）で計測された脳活動のデータと、前記（５）で計測された脳活動のデータとに基づいて、前記脳活動情報を取得する工程、を含む工程を実行させるための情報取得プログラム。
【請求項２０】
感覚刺激が与えられた生体からの脳活動情報を取得する情報取得プログラムを記録した記録媒体であって、
（１）前記生体の大脳皮質視覚野、大脳皮質聴覚野、大脳皮質平衡感覚野のうち少なくともいずれか一つの領野に対して、経時変化する刺激を与える工程
（２）前記経時変化する刺激を与えられているときの、前記領野における少なくとも一つの領域の脳活動を計測する工程
（３）前記（２）の工程の後に、前記領野に対して前記感覚刺激を与える工程
（４）前記（３）の工程の後に、前記経時変化する刺激と略同一の刺激を、前記領野に対して与える工程
（５）前記略同一の刺激を与えられているときの、前記領野における少なくとも一つの領域の脳活動を計測する工程
（６）前記（２）で計測された脳活動のデータと、前記（５）で計測された脳活動のデータとに基づいて、前記脳活動情報を取得する工程、を含む工程を実行させるための情報取得プログラムを記録したコンピュータ読み取り可能な記録媒体。
【請求項２１】
生体の大脳皮質視覚野、大脳皮質聴覚野、大脳皮質平衡感覚野のうち少なくともいずれか一つの領野に対して、経時変化する刺激を与える刺激付与部と、前記領野における少なくとも一つの領域の脳活動を計測する計測部と、前記計測部に、前記刺激付与部によって前記領野に対して経時変化する刺激を与えているときの前記領野における少なくとも一つの領域の脳活動を計測させるための計測制御部と、を有する情報取得装置を用いて、
前記領野に対して前記感覚刺激を与える前及び後に、それぞれ、前記刺激付与部によって前記領野に対して前記経時変化する刺激を与えるとともに、前記領野における少なくとも一つの領域の脳活動を計測し、前記脳活動情報を取得する工程を実行させることを特徴とする情報取得プログラム。
【請求項２２】
生体の大脳皮質視覚野、大脳皮質聴覚野、大脳皮質平衡感覚野のうち少なくともいずれか一つの領野に対して、経時変化する刺激を与える刺激付与部と、前記領野における少なくとも一つの領域の脳活動を計測する計測部と、前記計測部に、前記刺激付与部によって前記領野に対して経時変化する刺激を与えているときの前記領野における少なくとも一つの領域の脳活動を計測させるための計測制御部と、を有する情報取得装置を用いて、
前記領野に対して前記感覚刺激を与える前及び後に、それぞれ、前記刺激付与部によって前記領野に対して前記経時変化する刺激を与えるとともに、前記領野における少なくとも一つの領域の脳活動を計測し、前記脳活動情報を取得する工程を実行させることを特徴とする情報取得プログラムを記録したコンピュータ読み取り可能な記録媒体。
【請求項２３】
感覚刺激が与えられた生体からの脳活動情報を取得する情報取得方法であって、
（１）前記生体に経時変化する刺激を与える工程
（２）前記経時変化する刺激を与えられているときの、前記生体の大脳皮質視覚野、大脳皮質聴覚野、大脳皮質平衡感覚野のうち少なくともいずれか一つの領野における少なくとも一つの領域の脳活動を計測する工程
（３）前記（２）の工程の後に、前記生体に対して視覚刺激、聴覚刺激、平衡感覚刺激のうち少なくともいずれか一つの感覚刺激を与える工程
（４）前記（３）の工程の後に、前記生体に対して、前記経時変化する刺激と略同一の刺激を与える工程
（５）前記略同一の刺激を与えられているときの、前記領野における少なくとも一つの領域の脳活動を計測する工程
（６）前記（２）で計測された脳活動のデータと、前記（５）で計測された脳活動のデータとに基づいて、前記脳活動情報を取得する工程、を含むことを特徴とする情報取得方法。
【発明の詳細な説明】
【技術分野】
【０００１】
本発明は、感覚刺激が与えられた生体からの脳活動情報を取得する情報取得方法、情報取得装置、情報取得プログラム及び記録媒体に関する。
【背景技術】
【０００２】
市販のビデオカメラで撮影した手ブレのある映像を大画面で表示する時、視聴者の一部は乗り物酔いに似た不快感（いわゆる、映像酔い）を呈することが知られている。また、３Ｄの画像をみたときに、映像酔いと似た不快症状を呈することが知られ、３Ｄ酔いと呼ばれる。映像酔い、あるいは３Ｄ酔いの生体反応は具体的には、吐き気、めまい、ふらつきといった生体反応である。
【０００３】
ここで非特許文献１では、映像酔いの評価方法として、映像視聴中の視聴者の脳血流変化の計測を行っている。具体的には、被験者に対して手ブレや動揺感をもたらす場面を含んだ２０分間の映像を呈示し、近赤外分光法によるＮＩＲＳ（Ｎｅａｒ  Ｉｎｆｒａｒｅｄ  Ｓｐｅｃｔｒｏｓｃｏｐｙ）システム（ＮＩＲＯ−２００、浜松ホトニクス）を用いて、その映像を視聴している視聴者の脳血流変化を計測することで、映像と脳血流変化との関係を分析している。
【先行技術文献】
【非特許文献】
【０００４】
【非特許文献１】飯島淳彦、他４名、「映像酔いに伴う脳血流変化と心理スコアの関係」、ＢＰＥＳ  ２００８  第２３回生体・生理工学シンポジウム論文集、ｐ．１１−ｐ．１２
【発明の概要】
【発明が解決しようとする課題】
【０００５】
非特許文献１に記載の方法について、本発明者らは課題を見出した。すなわち、非特許文献１の方法では、思考・判断など高次機能を司る前頭葉における脳血流変化を計測しているため、その脳血流変化が、映像を見たことに起因するものなのか、それ以外の原因に起因するものなのか区別することが困難である。そのため、映像酔いようなストレスに関する情報を取得する方法としてより精度の高い方法が求められていた。
【課題を解決するための手段】
【０００６】
本発明に係る評価方法は、感覚刺激が与えられた生体からの脳活動情報を取得する情報取得方法であって、
（１）前記生体の大脳皮質視覚野、大脳皮質聴覚野、大脳皮質平衡感覚野のうち少なくともいずれか一つの領野に対して、経時変化する刺激を与える工程
（２）前記経時変化する刺激を与えられているときの、前記領野における少なくとも一つの領域の脳活動を計測する工程
（３）前記（２）の工程の後に、前記領野に対して前記感覚刺激を与える工程
（４）前記（３）の工程の後に、前記領野に対して、前記経時変化する刺激と略同一の刺激を与える工程
（５）前記略同一の刺激を与えられているときの、前記領野における少なくとも一つの領域の脳活動を計測する工程
（６）前記（２）で計測された脳活動のデータと、前記（５）で計測された脳活動のデータとに基づいて、前記脳活動情報を取得する工程、を含むことを特徴とする。
【０００７】
また、本発明に係る情報取得装置は、感覚刺激が与えられた生体からの脳活動情報を取得する情報取得装置であって、
生体の大脳皮質視覚野、大脳皮質聴覚野、大脳皮質平衡感覚野のうち少なくともいずれか一つの領野に対して、経時変化する刺激を与える刺激付与部と、
前記領野における少なくとも一つの領域の脳活動を計測する計測部と、
前記計測部に、前記刺激付与部によって前記領野に対して経時変化する刺激を与えているときの前記領野における少なくとも一つの領域の脳活動を計測させるための計測制御部と、を有し、
前記領野に対して前記感覚刺激を与える前及び後に、それぞれ
前記刺激付与部によって前記領野に対して前記経時変化する刺激を与えるとともに、前記領野における少なくとも一つの領域の脳活動を計測し、前記脳活動情報を取得すること、
を特徴とする。
【０００８】
また、本発明に係る情報取得装置は、感覚刺激が与えられた生体からの脳活動情報を取得する情報取得プログラムであって、
（１）生体の大脳皮質視覚野、大脳皮質聴覚野、大脳皮質平衡感覚野のうち少なくともいずれか一つの領野に対して、経時変化する刺激を与える工程
（２）前記経時変化する刺激を与えられているときの、前記領野における少なくとも一つの領域の脳活動を計測する工程
（３）前記（２）の工程の後に、前記領野に対して感覚刺激を与える工程
（４）前記（３）の工程の後に、前記領野に対して、前記経時変化する刺激と略同一の刺激を与える工程
（５）前記略同一の刺激を与えられているときの、前記領野における少なくとも一つの領域の脳活動を計測する工程
（６）前記（２）で計測された脳活動のデータと、前記（５）で計測された脳活動のデータとに基づいて、前記脳活動情報を取得する工程、を含む工程を実行させることを特徴とする。
【０００９】
また、本発明に係る記録媒体は、感覚刺激が与えられた生体からの脳活動情報を取得する情報取得プログラムを記録した記録媒体であって、
（１）前記生体の大脳皮質視覚野、大脳皮質聴覚野、大脳皮質平衡感覚野のうち少なくともいずれか一つの領野に対して、経時変化する刺激を与える工程
（２）前記経時変化する刺激を与えられているときの、前記領野における少なくとも一つの領域の脳活動を計測する工程
（３）前記（２）の工程の後に、前記領野に対して前記感覚刺激を与える工程
（４）前記（３）の工程の後に、前記領野に対して、前記経時変化する刺激と略同一の刺激を与える工程
（５）前記略同一の刺激を与えられているときの、前記領野における少なくとも一つの領域の脳活動を計測する工程
（６）前記（２）で計測された脳活動のデータと、前記（５）で計測された脳活動のデータとに基づいて、前記脳活動情報を取得する工程、を含む工程を実行させるための情報取得プログラムを記録したコンピュータ読み取り可能な記録媒体である。
【００１０】
また、別の本発明に係る情報取得プログラムは、生体の大脳皮質視覚野、大脳皮質聴覚野、大脳皮質平衡感覚野のうち少なくともいずれか一つの領野に対して、経時変化する刺激を与える刺激付与部と、前記領野における少なくとも一つの領域の脳活動を計測する計測部と、前記計測部に、前記刺激付与部によって前記領野に対して経時変化する刺激を与えているときの前記領野における少なくとも一つの領域の脳活動を計測させるための計測制御部と、情報取得装置を用いて、
前記領野に対して前記感覚刺激を与える前及び後に、それぞれ、前記刺激付与部によって前記領野に対して前記経時変化する刺激を与えるとともに、前記領野における少なくとも一つの領域の脳活動を計測し、前記脳活動情報を取得する工程を実行させることを特徴とする。
【００１１】
また、別の本発明に係る記録媒体は、生体の大脳皮質視覚野、大脳皮質聴覚野、大脳皮質平衡感覚野のうち少なくともいずれか一つの領野に対して、経時変化する刺激を与える刺激付与部と、前記領野における少なくとも一つの領域の脳活動を計測する計測部と、前記計測部に、前記刺激付与部によって前記領野に対して経時変化する刺激を与えているときの前記領野における少なくとも一つの領域の脳活動を計測させるための計測制御部と、情報取得装置を用いて、
前記領野に対して前記感覚刺激を与える前及び後に、それぞれ、前記刺激付与部によって前記領野に対して前記経時変化する刺激を与えるとともに、前記領野における少なくとも一つの領域の脳活動を計測し、前記脳活動情報を取得する工程を実行させることを特徴とする情報取得プログラムを記録したコンピュータ読み取り可能な記録媒体である。
【発明の効果】
【００１２】
本発明によれば、感覚刺激が与えられた生体からの脳活動情報を取得する方法として、精度の高い方法を提供することができる。
【図面の簡単な説明】
【００１３】
【図１】本発明の実施形態に係る情報取得方法を説明するための図である。
【図２】視覚野について説明するための図である。
【図３】国際１０−２０法における、電極を配置する場所を示した図である。
【図４】（ａ）同調度（ｂ）相互相関係数を算出するための式を示した図である。
【図５】本発明の実施形態に係る情報取得装置について説明するための図である。
【図６】本発明の実施例において脳血流計測に用いたｆＭＲＩ装置などについて説明するための図である。
【図７】本発明の実施例において用いた経時変化する刺激について説明するための図である。
【図８】本発明の実施例において得られた脳活動のデータの１つを示した図である。
【図９】本発明の実施例において算出された同調度を示した表である。
【発明を実施するための形態】
【００１４】
本発明の実施形態について説明するが、本発明はこれらに限られない。
【００１５】
まずは、本実施形態に係る情報取得方法について説明する。
【００１６】
本実施形態に係る情報取得方法は、感覚刺激が与えられた生体からの脳活動情報を取得する情報取得方法であって、以下の（１）から（６）までの工程を含むことを特徴とする。
（１）図１の工程Ｓ１０１に示すように、生体の大脳皮質視覚野（以下、視覚野と略すことがある）、大脳皮質聴覚野（以下、聴覚野と略すことがある）、大脳皮質平衡感覚野（以下、平衡感覚野と略すことがある）のうちいずれかの領野に対して、経時変化する刺激の付与を開始する。
（２）図１の工程Ｓ１０２に示すように、前記経時変化する刺激を与えられているときの、前記領野における少なくとも一つの領域の脳活動を計測する。
（３）図１の工程Ｓ１０３に示すように、前記（２）の工程の後に、前記領野に対して前記感覚刺激の付与を開始する。
（４）図１の工程Ｓ１０４に示すように、前記（３）の工程の後に、前記領野に対して、前記経時変化する刺激と略同一の刺激の付与を開始する。
（５）図１の工程Ｓ１０５に示すように、前記略同一の刺激を与えられているときの、前記領野における少なくとも一つの領域の脳活動の計測を開始する。
（６）図１の工程Ｓ１０６に示すように、前記（２）で計測された脳活動のデータと、前記（５）で計測された脳活動のデータとに基づいて、前記脳活動情報の取得を開始する。
【００１７】
（１）（２）の工程について
生体の視覚野、聴覚野、平衡感覚野のうちいずれかの領野に対して、経時変化する刺激を与えると、その刺激を受容する感覚器官から入力を受けた領野の脳活動が活性化する。例えば、生体に経時変化する光刺激を与えると、視覚野の脳活動は、与えられた光刺激に応じて活動する。なお、脳活動は神経細胞の活動電位やそれにともなって生じる電磁場、脳血流を計測することで定量化できる。脳活動は、生体に対して与える経時変化する刺激に応ずる活動になる。例えば、強い刺激と弱い刺激とを交互に繰り返す場合、脳活動は活性と不活性とを交互に繰り返す。すなわち、活動電位が活性化している状態と不活性化している状態とを交互に繰り返す。活動電位の活性・不活性状態が交互に変わることで、脳血流が多い状態と少ない状態とを交互に繰り返す。
【００１８】
（３）の工程について
（２）の工程の後に、経時変化する刺激を与えた領野に対して感覚刺激を与える。感覚刺激を与えるとは、例えば、映像を呈示することである。
【００１９】
（４）（５）の工程について
（３）の工程の後に、（２）で用いた経時変化する刺激と略同一の刺激を、（２）で刺激を与えた領野に与え、そのときの前記領野における少なくとも一つの領域の脳活動を計測する。
【００２０】
（６）の工程について
（２）で計測された脳活動のデータと（５）で計測された脳活動のデータとに基づいて、感覚刺激を与えられた生体からの脳活動情報を取得する。脳活動情報を取得するとは例えば、（２）で計測された脳活動のデータと（５）で計測された脳活動のデータの相関関係を指標として、生体に与えられたストレスに関する情報を取得することである。（２）で計測された脳活動のデータと（５）で計測された脳活動のデータの間に強い相関関係がある場合、感覚刺激によって被験者に与えられるストレスが小さい、弱い相関関係がある場合、与えられるストレスが大きいと評価できる。相関関係は、後述する同調度や相互相関係数によって定量化できる。
【００２１】
このような方法を用いれば、前頭葉のような高次機能をつかさどる領野ではなく、視覚野、聴覚野、平衡感覚野といった感覚情報処理の初期過程を担う領野における領域の脳活動を計測することで、感覚刺激が与えられた生体からの脳活動情報、例えばストレスに関する情報を取得することができる。そのため、感覚刺激が与えるストレスに関する情報の取得の際に、感覚刺激以外の要因が入りにくい。したがって本実施形態に係る評価方法は、感覚刺激が被験者に与える刺激以外の要因による影響を受けにくいため、感覚刺激が与えられた生体からの情報取得方法、例えばストレスの取得方法として精度の高い方法といえる。
【００２２】
本実施形態に係る情報取得方法は、感覚刺激が映像である場合に好適な方法である。すなわち、映像を呈示された生体からの脳活動情報を取得し、取得した脳活動情報からその映像を評価することができる。したがって、映像評価方法として、精度の高い方法であるといえる。
【００２３】
（感覚刺激）
本実施形態における感覚刺激は、被験者の視覚野、聴覚野、平衡感覚野のうちいずれかの領野の脳活動を変化されるものであれば特に限定されない。例えば、映像など視覚野の脳活動を変化させる視覚刺激、音など聴覚野の脳活動を変化させる聴覚刺激、音を伴った映像など視覚野及び聴覚野の脳活動を変化させる視聴覚刺激など、ジェットコースターなど被験者に加速度を与え、被験者の平衡感覚野の脳活動を変化させる平衡感覚刺激などが挙げられる。感覚刺激は、視覚刺激、聴覚刺激、平衡感覚刺激のいずれかであってもよいし、これらを複数組み合わせたものでもよい。例えばフライトシミュレータなど、生体に対して視覚刺激と平衡感覚刺激とを同時に呈示する場合が挙げられる。本実施形態に係る評価方法は、感覚刺激が映像である場合、すなわち、映像の評価方法であることが好ましい。
【００２４】
（生体）
本実施形態において生体とは、ヒト（人体）、サル、イヌなど生きているものを意味する。本実施形態に係る情報取得方法は、人体である場合が好ましい。以下、生体が人体である場合について説明する。また、本明細書において人体を被験者と言うことがある。
【００２５】
（脳活動情報）
本実施形態において脳活動とは、上記感覚刺激が与えられた生体の脳活動の応答を表す。脳活動の応答は、脳の神経細胞の活動電位の変化、あるいは、活動電位の変化に伴って生じる電磁場の変化や脳血流変化を計測することで定量化できる。脳の神経細胞の活動電位は電極を用いた神経活動記録装置を用いて計測できる。活動電位の変化に伴って生じる電磁場の変化は脳波計や脳磁計を用いて計測できる。活動電位の変化に伴って生じる脳血流変化は、機能的磁気共鳴画像計測装置（ｆＭＲＩ（ｆｕｎｃｔｉｏｎａｌ  ｍａｇｎｅｔｉｃ  ｒｅｓｏｎａｎｃｅ  ｉｍａｇｉｎｇ）装置）、ＮＩＲＳ装置、ポジトロン断層計測装置を用いて計測できる。これらの中で、装置が安価で、かつ、被験者をあまり拘束せず安全に実施できる、脳波計を用いた方法、ＮＩＲＳ装置を用いた方法が好ましい。
【００２６】
本実施形態において脳活動情報とは、上記脳活動の計測によって計測されるデータや、当該データから得られる情報を意味する。脳活動情報として例えば、ストレスに関する情報などが挙げられる。ストレスに関する情報は、脳の神経細胞の活動電位の変化、あるいは、活動電位の変化に伴って生じる電磁場の変化や脳血流変化といったデータから得ることができる。
【００２７】
（ストレス）
本実施形態においてストレスとは、被験者に種々の外部刺激が負担として働くとき、心身に生ずる機能変化を意味する。被験者は、ストレスによって、眼の疲れ、頭痛、発汗、吐き気、めまい、ふらつき感、眼精疲労、自律神経系の失調、または平衡感覚の失調といった生体反応が表れることがある。
本実施形態に係る情報取得方法は、生体のストレスに関する情報を取得することが好ましい。そして本実施形態に係る情報取得方法は、映像酔い、あるいは３Ｄ酔いの生体反応を呈するようなストレスを評価する場合に好適に用いることができる。
【００２８】
（視覚野）
本実施形態において視覚とは、可視光を物理的入力とした感覚のことであり、視覚情報とは外界にある物体の色、形、運動、テクスチャ、奥行きなどについての情報、物体のカテゴリーについての情報、物体の位置関係のような外界の空間的な情報を指す。視覚に関わる領野は視覚野である。
【００２９】
本実施形態に係る評価方法において、脳活動を計測する対象が視角野である場合、視覚野中の一次視覚野（Ｖ１（Ｖ１ｄ、Ｖ１ｖ））、二次視覚野（Ｖ２（Ｖ２ｄ、Ｖ２ｖ））、三次視覚野（Ｖ３、Ｖ３Ａ）、四次視覚野（Ｖ４（Ｖ４ｄ、Ｖ４ｖ））、ＭＴ野（Ｍｉｄｄｌｅ  Ｔｅｍｐｏｒａｌ  Ａｒｅａ）、ＭＳＴ野（Ｍｅｄｉａｌ  ＳｕｐｅｒｉｏｒＴｅｍｐｏｒａｌ  Ａｒｅａ）、七次視覚野（Ｖ７）、ＶＰ野（Ｖｅｎｔｒａｌ  Ｐｏｓｔｅｒｉｏｒ  ａｒｅａ）、ＬＯ野（Ｌａｔｅｒａｌ  Ｏｃｃｉｐｉｔａｌ  ｃｏｍｐｌｅｘ）、八次視覚野（Ｖ８）のうち、いずれの領域の脳活動を計測してもよい。また、視覚野中のこれらの領野のうち、複数の領野にまたがった領域（例えばＶ１とＶ２にまたがった領域）の脳活動を計測してもよいし、前記領野における一部の領域の脳活動を計測してもよい。
【００３０】
なお、ＭＴ野、及びＭＳＴ野に相当する領域の分類には諸説があり、その付近に存在している視覚的運動に応答する領域を総じてＭｉｄｄｌｅ  Ｔｅｍｐｏｒａｌ  ｃｏｍｐｌｅｘ（ＭＴ＋）などと呼称することもある。本発明では現在最も一般的である“Ｒｅｔｉｎｏｔｏｐｙ  ａｎｄ  ｆｕｎｃｔｉｏｎａｌ  ｓｕｂｄｉｖｉｓｉｏｎ  ｏｆ  ｈｕｍａｎ  ａｒｅａｓ  ＭＴ  ａｎｄ  ＭＳＴ”，Ｈｕｋ，Ａ．Ｃ．ｅｔ  ａｌ．，Ｔｈｅ  Ｊｏｕｒｎａｌ  ｏｆ  Ｎｅｕｒｏｓｃｉｅｎｃｅ，２２：７１９５−７２０５，（２００２）に記載された分類法に準拠するが、これに限定されるものではない。今後この付近で同定される可能性のある視覚野を含む領野を指して、便宜的にＭＴ野、及びＭＳＴ野と記載する。それに加えてＶ４ｖ、及びＶ８に相当する視覚野の分類にも他説があり、ＶＯ１、及びＶＯ２とする別の分類も存在する。本発明では、Ｖ４ｖ、及びＶ８という表記で当該領野を指定することとする。これらの領域の中で、動きに関する情報を処理しているＶ３Ａ、ＭＴ野、Ｖ７、Ｖ４ｖを計測対象とすると、映像酔いや３Ｄ酔いといった生体反応を呈するストレスを正確に評価することができると考えられるため好ましい。
【００３１】
視覚情報は後頭葉、頭頂葉の一部、側頭葉の一部に確認されている視覚野において処理される。なお、大脳皮質の前部に位置するのが前頭葉、後部に位置するのが後頭葉、頭頂部に位置するのが頭頂葉、側部に位置するのが側頭葉である。
【００３２】
図２（ａ）は後頭側から見た大脳皮質表面の模式図である。図２（ｂ）は、図２（ａ）の大脳皮質表面の拡大図である。図２では、実際には脳梁によってつながれている大脳の左右半球を、便宜的に分離して示している。
【００３３】
図２（ａ）において、２０１は左耳、２０２は右耳、２０３は大脳左半球、２０４は大脳右半球を表す。大脳左半球２０３において、２１０はＶ１（Ｖ１ｖ、Ｖ１ｄ）、２１１はＶ２（Ｖ２ｖ、Ｖ２ｄ）、２１２はＶ３、２１３はＬＯ野、２１４はＭＴ野、２１５はＭＳＴ野、２１６はＶ３Ａを表す（図２（ｂ））。また、大脳右半球２０４において、２２０はＶ１（Ｖ１ｖ、Ｖ１ｄ）、２２１はＶ２（Ｖ２ｖ、Ｖ２ｄ）、２２２はＶ３、２２３はＬＯ野、２２４はＭＴ野、２２５はＭＳＴ野、２２６はＶ３Ａを表す（図２（ｂ））。
【００３４】
図２（ｂ）にあるように、各視覚野は両半球のほぼ対称の位置に存在している。視覚情報は、はじめに左右半球それぞれの後頭葉後端にあるＶ１へ入力される。その後、Ｖ２、Ｖ３，Ｖ３Ａなど高次機能を担う視覚野において情報処理が行われる。後頭葉視覚野において処理された視覚情報は、さらに頭頂葉、側頭葉、前頭葉の各視覚関連領野へと順次伝わり、統合されて視知覚や視覚的記憶といった視覚機能が生じる。なお、ブロードマンの脳地図では、Ｖ１は１７野、Ｖ２は１８野、Ｖ３は１９野に位置する。
【００３５】
大脳皮質視覚野において、Ｖ１、Ｖ２以降の視覚情報処理は大きく二つの流れで処理される。一つは背側視覚経路と呼ばれ、Ｖ３、Ｖ３Ａ、ＭＴ野、ＭＳＴ野、ＬＯ野など大脳皮質背側部に連なる領野を経由する視覚情報処理経路である。背側視覚経路には視覚的運動や両眼視差に対して応答する神経細胞が多く存在し、自他の空間配置や運動状態の認知に関与していると考えられている。もう一つは腹側視覚経路と呼ばれ、腹側四次視覚野（Ｖ４ｖ）や八次視覚野（Ｖ８）など大脳皮質腹側部に連なる領野を経由する視覚情報処理経路である。腹側視覚経路には色や形、物体カテゴリーなどに対して応答する神経細胞が多く存在し、視覚による対象物体の認識に関与していると考えられている。
【００３６】
映像酔いが発生すると、視覚野の脳活動が視覚刺激に応じて反応しなくなる。したがって、大脳皮質視覚野における脳活動を指標とすることによって、映像酔いや３Ｄ酔いといったストレスを検出することができる。
【００３７】
視覚野の活動を脳波計（Ｅｌｅｃｔｒｏｅｎｃｅｐｈａｌｏｇｒａｐｈ、ＥＥＧ）によって計測する場合、Ｖ１，Ｖ２，Ｖ３など視覚野の入り口に分布する領野は後頭葉の後方側にあるので、国際１０−２０法におけるＯ１、Ｏ２電極の信号として検出できる。また、Ｖ３Ａ、Ｖ７といった領野は頭頂葉側に分布するので、国際１０−２０法におけるＰ２、Ｐ３、Ｐ４電極の信号として、Ｖ４ｄ、ＭＴ野、ＭＳＴ野、ＬＯ野は側頭葉側に分布するので、国際１０−２０法におけるＴ５、Ｔ６電極の信号として検出できると考えられる。国際１０−２０法は、脳波計によって脳活動を計測するときに、計測するための電極を頭部に配置する場所を決める国際標準の方法である。図３は、国際１０−２０法における、電極を配置する場所を示した図である。例えば、Ｖ１，Ｖ２，Ｖ３などの脳活動を脳波計で計測する場合は、図３のＯ１、及び、Ｏ２の位置に電極を配置することで計測できる。なお、国際１０−２０法における電極配置とすることが好ましいが、電極の配置は特に限定されない。
【００３８】
（聴覚、聴覚野）
本実施形態において聴覚とは、音を物理的入力とした感覚のことであり、聴覚情報とは音の強さ、音高、音色、音源の方向、リズム、発音などを指す。聴覚に関わる領野は聴覚野である。聴覚野には、１、２、３次聴覚野が存在し、ブロードマンの脳地図では、４１野及び４２野に位置する。聴覚野の活動を脳波計によって計測する場合、国際１０−２０法におけるＴ３，Ｔ４電極の信号として検出できる。
【００３９】
（平衡感覚、平衡感覚野）
本実施形態において平衡感覚とは、平衡感覚の情報（人体がどれくらい傾いているか、動いているかなどの情報）を物理的入力とした感覚のことである。平衡感覚に関わる領野は、平衡感覚野（ｐａｒｉｅｔｏ−ｉｎｓｕｌａｒ  ｖｅｓｔｉｂｕｌａｒ  ｃｏｒｔｅｘ（ＰＩＶＣ））である。本実施形態において、平衡感覚野は外側溝奥の頭頂葉と側頭葉の繋ぎ目である側頭頭頂接合部（Ｔｅｍｐｏｒｏ−Ｐａｒｉｅｔａｌ  Ｊｕｎｃｔｉｏｎ）近傍に位置すると定義する。平衡感覚野の活動を脳波計によって計測する場合、国際１０−２０法におけるＴ３，Ｔ４，Ｐ３，Ｐ４電極の信号として検出できると考えられる。
【００４０】
以下の説明は、視覚野を例に説明するが、聴覚野、平衡感覚野についても同様に測定することができる。
【００４１】
（脳活動の計測対象とする領域）
本実施形態に係る情報取得方法において、脳活動の計測の対象とする領域は、上記、視覚野、聴覚野、平衡感覚野のうち少なくともいずれか一つの領野における領域であればどのように選んでもよい。例えば視覚野の中の任意の領野（例えば、ＭＴ野）を選んでもよいし、視覚野の中の複数の領野にまたがった領域（例えば、ＭＴ野とＭＳＴ野にまたがった領域）を選んでもよい。また、視覚野の任意の領野における一部の領域（例えば、ＭＴ野内の一部の領域）を選んでもよい。さらに、複数の領野にまたがった領域の脳活動を計測する場合、複数の領野の一部の領域（ＭＴ野の一部の領域とＭＳＴ野の一部の領域）の脳活動を計測してもよい。ここでは視覚野について説明したが、聴覚野、平衡感覚野についても同様である。
【００４２】
（経時変化する刺激）
本実施形態において、経時変化する刺激とは、視覚野、聴覚野、平衡感覚野のうちいずれかの領野の脳活動を継続的あるいは断続的に変化させる感覚刺激である。また経時変化する刺激は、視覚野、聴覚野、平衡感覚野のうち複数種類の領野を刺激するものであってもよい。
【００４３】
経時変化する刺激は、脳活動の計測対象（神経細胞の活動電位やそれに伴って生じる電磁場、脳血流）や、計測装置（脳波計、脳磁計、電極を用いた神経活動記録装置、ＮＩＲＳ装置、ｆＭＲＩ装置、ポジトロン断層計測装置）によって、適切なものを選択することが好ましい。
【００４４】
経時変化する刺激を視覚野に対して与える場合、例えば、視覚的な運動と静止の変化、視覚的な運動の方向の変化、速さなどの変化、明るさの変化、輝度の変化、色の変化、あるいはこれらが複合的に組み合わされた刺激といった経時変化する刺激を用いることができる。
【００４５】
経時変化する刺激を聴覚野に対して与える場合、例えば、音の強さの変化、音高の変化、音色の変化、音源の方向の変化、リズムの変化、あるいはこれらが複合的に組み合わされた刺激といった経時変化する刺激を用いることができる。
【００４６】
経時変化する刺激を平衡感覚野に対して与える場合、例えば、被験者の体勢の変化、すなわち、被験者の姿勢の傾きや動きなどの変化や、外界から人為的に与えられる前庭器官の状態変化、具体的には、外界からの注水や通電による状態変化、あるいはそれらを複合的に組み合わせた刺激といった経時変化する刺激を用いることができる。
【００４７】
本実施形態における経時変化する刺激は、上記領野の脳活動の応答が時間的特徴、または周波数的特徴を有するように与えられる刺激であることが好ましい。例えば、刺激量が異なる少なくとも２種類以上の刺激が交互に繰り返される刺激が挙げられる。また経時変化する刺激は、視覚刺激、聴覚刺激、平衡感覚に対する刺激、あるいはこれらの複数を組み合わせた刺激のいずれであってもよい。刺激量が異なる刺激は、連続的に与えられてもよいし、時間間隔をおいて与えられてもよい。
【００４８】
また、経時変化する刺激は、刺激量が異なる２種類の視覚刺激が交互に繰り返される刺激であることが好ましい。
【００４９】
刺激量が異なる２種類の刺激が交互に繰り返されると、上記領野の脳活動は刺激量の大小に応じて増減を繰り返し、２種類の刺激の繰り返し周期を反映した周期性を有する応答を示す。周期性を有する応答は、フーリエ解析などを用いて解析することが容易であり、脳活動の応答特性を定量的に評価できる。
【００５０】
刺激量が異なる２種類の刺激が交互に繰り返される視覚刺激として、例えば動画像と静止画像が交互に繰り返される映像や、任意の楽曲の再生・停止が交互に繰り返される聴覚刺激、あるいは運動状態と静止状態とが交互に繰り返される平衡感覚刺激などが挙げられる。
【００５１】
刺激量が異なる２種類の視覚刺激が交互に繰り返される刺激を用いる場合には、計測対象となる脳神経系応答の種類、すなわち、神経細胞の活動電位やそれに伴って生じる電磁場を計測するか、脳血流を計測するかによって、その繰り返し周期（周波数）の好ましい範囲は異なる。また、脳波計、脳磁計、電極を用いた神経活動記録装置、ｆＭＲＩ装置、ＮＩＲＳ装置、ポジトロン断層計測装置といった計測装置の時間分解能の制約によって、その繰り返し周期（周波数）の好ましい適用範囲は異なる。また、経時変化する刺激の性質によってその繰り返し周期（周波数）の好ましい適用範囲は異なる。ここで、周期とは、異なる２種類の刺激を合わせて１回とし、それを２回以上繰り返す場合の繰り返し周期のことである。
【００５２】
例えば、脳血流を計測する場合、与えられた刺激に対する脳血流変化が３０秒程度の増減応答を示すことから、経時変化する刺激の周期は０．０３３Ｈｚ以下であることが好ましい。
【００５３】
また、ｆＭＲＩ装置やＮＩＲＳ装置を用いる場合、これらの装置の時間分解能が１秒から３秒程度であるため、経時変化する刺激の周期は０．３Ｈｚ以下であることが好ましい。
【００５４】
また、経時変化する刺激が光刺激を与える状態と光刺激を与えない状態の繰り返し（以下、明滅と略すことがある）である場合、明滅を識別できる上限から、経時変化する刺激の周期は３０Ｈｚ以下であることが好ましい。また、５Ｈｚ以下である場合、被験者が光感受性発作を生じにくく、かつ、脳活動が計測しやすいため、好ましい。
【００５５】
繰り返し周期の上限（繰り返し周波数の下限）は特にないが、あまりに長い繰り返し周期（あまりに低い繰り返し周波数）であると、脳神経系応答の計測に要する時間が長くなり、感覚刺激による負荷とは別途、被験者に負荷を課してしまう可能性があるため、前記２から３０秒程度の繰り返し周期（繰り返し周波数０．０３から０．５Ｈｚ程度）とすることが好ましい。
【００５６】
刺激量の相異なる２種類以上の視覚刺激を一定時間間隔で交互に繰り返す刺激を用いる場合の具体例としては、白黒の縞模様が放射状に配置された画像が一定時間間隔で回転と静止とを交互に繰り返す映像が挙げられる。例えば、時間間隔をそれぞれ１８秒とし、１８秒回転、１８秒静止を６回（計２１６秒）繰り返す映像を用いることができる。この場合、繰り返し周期は３６秒、すなわち繰り返し周波数は１／３６Ｈｚ（０．０２８Ｈｚ程度）である。なお、回転映像から静止画像への切り替わりは連続的に行っても、不連続的に行ってもよい。
【００５７】
（脳活動の計測方法）
脳活動を計測する装置について詳細に説明する。
【００５８】
（脳波計）
本実施形態において脳波計は脳の神経細胞の活動電位に伴って生じる電磁場を計測するものである。被験者の頭皮上に探査電極を装着し、電位０の基準電極（通常は耳朶に装着する電極）との電位変動を時系列データとして計測する。
【００５９】
脳波の計測は、上記経時変化する刺激を与えられているときに行う。例えば経時変化する刺激として、一定時間間隔で再生・停止を繰り返す動画像を用いる場合、動画像が停止状態にある時に比べて、再生状態にあるときの方が、視覚野における神経細胞の活動電位は活性化して脳波信号も増大する。前記動画像の再生・停止を一定時間間隔で繰り返すと、視覚野の脳波信号は再生・停止に付随して増加・減衰を繰り返す。すなわち、前記経時変化する刺激の再生・停止の繰り返し周波数をｆとすれば、測定される脳波信号の波形も周波数ｆの正弦波の波形に近づく。
【００６０】
被験者に与えられるストレスが小さい時、被験者の視覚野からの脳波信号は経時変化する刺激に対して忠実に応答し、経時変化する刺激の繰り返し周波数を有する正弦波に近い波形の信号が取得される。一方、被験者に与えられるストレスが大きい時には、被験者の視覚野における神経細胞が経時変化する刺激に応じて反応しなくなるので、ストレスが小さい時に比べて脳波信号は正弦波から逸脱した信号となる。したがって、感覚刺激によってストレスを与えられる前後の、経時変化する刺激に対する視覚野の脳波の応答変化を指標とすることによって、感覚刺激が被験者に与えるストレスを評価することができる。
【００６１】
なお、脳波計測は国際１０−２０法に準拠した電極配置で行うことが好ましい。図３は、脳波計の電極配置を示した模式図である。視聴者１の頭部を上側から見た図であり、図中上が前側（鼻側）、図中下が後側（後頭側）、図中左が左側（左耳側）、図中右が右側（右耳側）を示す。Ａ１，Ａ２，Ｏ１，Ｏ２，Ｐ２，Ｐ３，Ｐ４，Ｃ２，Ｃ３，Ｃ４，Ｆ２，Ｆ３，Ｆ４，Ｔ３，Ｔ４，Ｔ５，Ｔ６，Ｆ２，Ｆ３，Ｆ４，Ｆ７，Ｆ８，Ｆｐ１，Ｆｐ２は、各電極を示している。Ａ１，Ａ２は基準電極と呼ばれ、典型的には電位零とみなせる耳朶付近に装着される。それ以外の電極は探査電極と呼ばれ、基準電極に対する電位変化を脳波信号として検出する。Ｏ１，Ｏ２は後頭部、Ｐ２，Ｐ３，Ｐ４は頭頂部、Ｃ２，Ｃ３，Ｃ４は中心部、Ｔ３，Ｔ４，Ｔ５，Ｔ６は側頭部、そしてＦ２，Ｆ３，Ｆ４，Ｆ７，Ｆ８，Ｆｐ１，Ｆｐ２は前頭部の脳波を検出する。
【００６２】
（ＮＩＲＳ装置）
ＮＩＲＳ（Ｎｅａｒ  Ｉｎｆｒａｒｅｄ  Ｓｐｅｃｔｏｒｏｓｃｏｐｙ）装置は、神経細胞の活動変化に付随して生じる脳血流変化を計測するものである。神経細胞は活動変化に際して酸素を消費し、一時的に酸素が欠乏した状態となる。これを解消するため、その神経細胞付近の脳血管に血液が送り込まれ、神経細胞に酸素が補充される。ＮＩＲＳ装置は、脳血流量やそれに含まれる酸化ヘモグロビンと還元ヘモグロビンとの割合の変化を計測する脳活動測定法である。
【００６３】
ＮＩＲＳ装置は、被験者の頭表に送光プローブ、及び受光プローブを装着する。送光プローブは被験者の脳内へ近赤外光を照射し、被験者の脳内へ照射された近赤外光は大脳皮質などで反射されて頭表へ戻り、受光プローブによって検出される。脳血流に含まれる酸化ヘモグロビンと還元ヘモグロビンは近赤外波長領域の光に対してそれぞれ異なる吸収スペクトルを有するので、送光プローブから照射された近赤外光は脳血流に含まれる酸化ヘモグロビンや還元ヘモグロビンによって吸収され、受光プローブによって検出される光量は、前記酸化ヘモグロビンと還元ヘモグロビンの量を反映して減少する。したがって、照射時と検出時の光量変化から、近赤外光が通過した部位の脳血流量やそれに含まれる酸化ヘモグロビンと還元ヘモグロビンとの割合を推定することができる。前記光量変化を経時的に計測することで、光照射部位の脳血流量やそれに含まれる酸化ヘモグロビンと還元ヘモグロビンとの割合の時間的変化を脳活動時系列データとして記録することができる。
【００６４】
ここで、経時変化する刺激として、一定時間間隔で再生・停止を繰り返す動画像を用いると、動画像が停止状態にある時に比べて、再生状態にあるときの方が、視覚野における神経細胞の活動電位は増大して脳血流が増大する。ＮＩＲＳ装置は、この脳血流の変化を信号変化として検出する。前記動画像の再生・停止を一定時間間隔で交互に繰り返すと、視覚野の脳波信号は再生・停止に付随して増加・減衰を交互に繰り返す。すなわち、前記経時変化する刺激の再生・停止の繰り返し周波数をｆとすれば、ＮＩＲＳ装置によって計測される検出信号の波形も周波数ｆの正弦波の波形に近づく。
【００６５】
被験者に与えられるストレスが小さい時、被験者の視覚野からのＮＩＲＳ装置によって計測される信号は経時変化する刺激に対して忠実に応答し、経時変化する刺激の繰り返し周波数を有する正弦波に近い波形の信号が取得される。一方、被験者に与えられるストレスが大きい時には、被験者の視覚野における神経細胞が経時変化する刺激に応じて反応しなくなるので、ストレスが小さい時に比べてＮＩＲＳ装置によって計測される検出信号は正弦波から逸脱した信号となる。したがって、感覚刺激によってストレスを与えられる前後の、経時変化する刺激に対する視覚野の脳血流の変化を指標とすることによって、感覚刺激が被験者に与えるストレスを評価することができる。
【００６６】
（ｆＭＲＩ装置）
ｆＭＲＩ装置は、ＭＲＩ装置を利用して、脳の活動などに関連した血流動態反応を視覚化する方法である。ｆＭＲＩ装置を用いて脳血流動態を計測する場合、通常は感覚刺激に応答した部位を統計処理で特定し、その部位を解剖画像にカラーマップとして表示することで、脳活動を可視化する。
ｆＭＲＩ装置については、ＮＩＲＳ装置と装置構成は異なるが、測定対象が脳血流の変化であることや、感覚刺激が被験者に与えるストレスを評価することができる点など、ＮＩＲＳ装置と同じであるので、ここでは説明を省略する。
【００６７】
（脳活動情報の取得方法）
脳活動情報は、上記脳活動の計測によって得られる。または、脳活動の計測によって得られたデータを評価することで得られる。本実施形態に係る情報取得方法は、ストレスに関する情報を取得する。
【００６８】
（ストレスの評価方法）
本実施形態に係る情報取得方法によって取得される脳活動情報は、ストレスに関する情報であってもよい。ストレスに関する情報を取得することで、感覚刺激が生体に与えるストレスを評価することができる。ストレスを評価する方法は、感覚刺激が与えられる前後における、上記経時変化する刺激を与えられているときの脳活動のデータに基づいて行うものである。例えば、感覚刺激によってストレスを与えられる前後における、上記経時変化する刺激を与えられているときの脳活動のデータの相関関係を指標とすることで行う。相関関係は同調度の低下量や、相互相関係数の大きさなどによって定量化できる。以下、同調度と相互相関係数について詳細に説明する。
【００６９】
（同調度）
本実施形態において同調度は以下のように求める。まず、経時変化する刺激について、刺激量の時間変化のデータをフーリエ変換したときに、最も多く含まれる周波数成分を算出する。最も多く含まれる周波数成分を基本周波数（ｆ０）と定義する。（経時変化する刺激）の項目では、１／３６Ｈｚの繰り返し周期の刺激を用いる例に挙げたが、この場合、基本周波数は１／３６Ｈｚである。
【００７０】
そして、上記（２）及び（５）の工程で得られた脳活動のデータをフーリエ変換して、全周波数成分における上記基本周波数の占める割合を同調度として算出する。具体的には、脳活動のデータをフーリエ変換してパワースペクトル強度を求める。パワースペクトル強度とは、時系列信号（「原信号」と記す）をフーリエ変換して得られる複素数と、その複素共役とを掛け合わせることで算出される実数値である。パワースペクトル強度は各周波数に対して算出され、原信号に占める各周波数成分の割合を示す。各周波数に対するパワースペクトル強度の集合をベクトルとした時、基本周波数成分のパワースペクトル強度を、前記ベクトルの大きさ（各周波数成分のパワースペクトル強度の２乗和の平方根）で割った値が同調度である。すなわち、同調度は、図４（ａ）に示す式（Ｉ）を用いて算出することができる。
【００７１】
（２）の工程で得られたデータから算出された同調度に対して、（５）の工程で得られたデータから算出された同調度が大きく低下していた場合、感覚刺激によって与えられるストレスが大きく、逆に、低下量が小さい場合与えられるストレスが小さい。したがって本実施形態に係る情報取得方法によれば、同調度が大きく低下した場合、被評価映像はストレスを与えない、または与えにくい映像であり、同調度が大きく低下した場合、被評価映像はストレスを与える、または与えやすい映像である、というように映像の評価をすることができる。
【００７２】
例えば、次のような評価ができる。（２）で計測された脳活動のデータをフーリエ変換してパワースペクトル強度と基本周波数を求める。求めた、各周波数におけるパワースペクトル強度と、基本周波数とを式（Ｉ）に代入して同調度を算出する（同調度Ａ）。（５）で計測された脳活動のデータについても同様に同調度（同調度Ｂ）を算出する。そして、同調度Ａの値から同調度Ｂの値を引いて差分を求める。複数の被験者について、あるいは、複数の測定環境で同じ測定を行い同調度の差分を求める。そして、差分の平均値、あるいは、最も差分の小さい場合の値を閾値として定める。その閾値よりも大きい場合を、ストレス有り、あるいは、ストレスが大きいと評価し、その閾値よりも小さい場合を、ストレス無し、あるいは、ストレスが小さいと評価することができる。閾値の設定の仕方は上記の方法に限られない。
【００７３】
このように同調度を算出することで、感覚刺激によって被験者に与えられるストレスを評価することができる。
【００７４】
（相互相関係数）
本実施形態において相互相関係数とは、２つの時系列データの類似性を定量化した指標である。例えば、２つの時系列データをそれぞれベクトルとし、ベクトルの全ての要素の平均値が０、ベクトルの大きさが１となるように正規化した後、その２つのベクトルの内積を相互相関係数とすることができる。上記脳活動の時系列データの相互相関係数を求める方法は以下の通りである。
（ｉ）上記（２）の工程で得られた脳活動の時系列データ（ｘ１，ｘ２，・・・，ｘｎ）の全ての要素から、平均値ｘ’を引いたデータを求める。
（ｉｉ）（ｉ）で求めた各要素の二乗和の平方根を算出する。
（ｉｉｉ）（ｉ）を（ｉｉ）で求めた値で割る。
（ｉｖ）上記（５）の工程で得られた脳活動の時系列データ（ｙ１，ｙ２，・・・，ｙｎ）について、（ｉ）から（ｉｉｉ）と同じ工程を実行する。
（ｖ）（ｉｉｉ）と（ｉｖ）の内積を算出する。
【００７５】
（ｉ）から（ｖ）の工程を行って相互相関係数を求めることは、図４（ｂ）に示す式の（ｘ１，ｘ２，・・・，ｘｎ）及び（ｙ１，ｙ２，・・・，ｙｎ）に計測した脳活動のデータを代入して計算することに相当する。
【００７６】
相互相関係数が１に近い場合、感覚刺激によって被験者にストレスが与えられる前後の脳活動の相関が大きいため、神経細胞が前記経時変化する刺激に応じて反応しており、感覚刺激によって被験者に与えられるストレスは小さい。逆に０に近い場合には、ストレスが与えられる前後の脳活動の相関が小さいため、神経細胞が前記経時変化する刺激に応じて反応しておらず、ストレスが大きい。
【００７７】
このように相互相関係数を算出することで、感覚刺激によって被験者に与えられるストレスを評価することができる。
【００７８】
また、本実施形態におけるストレスの評価方法は、同調度や相互相関係数に関して、閾値を設定して、閾値以上の値である場合はストレスを与えると判定し、閾値未満である場合はストレスを与えない、あるいは、ストレスが小さいとみなせる、と評価することもできる。
【００７９】
閾値は、例えば次のような手続きで設定することが可能である。感覚刺激によってストレスが与えられる前の、経時変化する刺激に対する脳活動応答から算出した左半球背側視覚野の同調度と、感覚刺激によってストレスが与えられた後の、前記経時変化する刺激と略同一の刺激に対する脳活動応答から算出した左半球背側視覚野の同調度との差についてｔ検定を行い、２つのデータの同調度の間に有意差があるか否かを仮説検定する。これを実行すると２つのデータの間に統計的に有意差があることが確認できると同時に、２つのデータの差の平均値について信頼区間も算出することができる。閾値として信頼区間の上限値を設定すれば、平均的な範囲を逸脱した同調度の差を判定することができる。好ましくは予め複数の被験者に対して本実施形態に係る上記（１）から（６）の工程を適用し、同調度のデータ数を増やしてｔ検定などの方法を用いて閾値を設定することで、個人差や日ごとの体調変化に拠らない評価が可能である。これは閾値を設定する方法の一例であって、これに限定されることはない。
【００８０】
（経時変化する刺激と略同一の刺激）
本実施形態において、経時変化する刺激と略同一の刺激とは、経時変化する刺激の同調度と、それと略同一の刺激の同調度の差の絶対値が、０．０５以下である刺激である。また、経時変化する刺激の同調度と、それと略同一の刺激の同調度の差の絶対値が０．００５以下である刺激であることが好ましい。
【００８１】
例えば、上記同調度の差の範囲内で、かつ、刺激を与える時間のわずかな相違、色ありと色なしの相違がある刺激である。
【００８２】
経時変化する刺激と略同一の刺激は、経時変化する刺激と同一の刺激であることが好ましい。
【００８３】
（情報取得装置）
本実施形態に係る情報取得装置は、感覚刺激が与えられた生体からの脳活動情報を取得する情報取得装置であり、刺激付与部と計測部と計測制御部とを少なくとも有する。刺激付与部は、生体の大脳皮質視覚野、大脳皮質聴覚野、大脳皮質平衡感覚野のうち少なくともいずれか一つの領野に対して、経時変化する刺激を与えるものであり、計測部は前記領野における少なくとも一つの領域の脳活動を計測するものであり、計測制御部は、計測部に、刺激付与部によって前記領野に対して経時変化する刺激を与えているときの前記領野における少なくとも一つの領域の脳活動を計測させる。本実施形態に係る情報取得装置は、前記領野に対して感覚刺激を与える前及び後に、それぞれ、刺激付与部によって前記領野に対して経時変化する刺激を与えるとともに、前記領野の脳活動を計測し、脳活動情報を取得する。
【００８４】
刺激付与部によって与える経時変化する刺激は、感覚刺激を与える前と後とで同一であってもよいし、略同一の刺激であってもよい。感覚刺激を与える前と後とで略同一の刺激とは、感覚刺激を与える前に与える経時変化する刺激と、後に与える経時変化する刺激の同調度の差の絶対値が０．０５以下である刺激であり、０．００５以下であることが好ましい。
【００８５】
なお、感覚刺激は、経時変化する刺激を与える刺激付与部を用いることで与えてもよいし、別の刺激付与部を用いてもよい。
【００８６】
本実施形態に係る情報取得装置において、感覚刺激が視覚刺激であることが好ましく、感覚刺激が映像であることが好ましい。
【００８７】
また、脳活動情報が情報取得対象となる生体のストレスに関する情報であることが好ましい。生体のストレスに関する情報を取得することで、ストレスの評価をする評価装置として用いることができる。ストレスの評価の具体的なプロセスは、上記の通りである。
【００８８】
また、経時変化する刺激が、刺激量が異なる少なくとも２種類以上の刺激が交互に繰り返される刺激であることが好ましく、動画像と静止画像が交互に繰り返される映像であることがさらに好ましい。ストレスの評価の具体的なプロセスは、上記の通りである。
【００８９】
また、計測部は、情報取得対象となる生体の脳の活動電位の変化、前記活動電位の変化に伴って生じる電磁場の変化、前記活動電位の変化に伴って生じる脳血流変化のいずれかを計測することが好ましい。
【００９０】
また、経時変化する刺激を与える領野は、大脳皮質視覚野のＶ３Ａ、ＭＴ野、Ｖ７、Ｖ４ｖのいずれかであることが好ましい。
【００９１】
また、前記領野に対して感覚刺激を与える前に計測された脳活動のデータから図４（ａ）の式（Ｉ）を用いて算出された同調度の値と、前記領野に対して感覚刺激を与えた後に計測された脳活動のデータから下記式（Ｉ）を用いて算出された同調度の値との差分に基づいて脳活動情報を取得することが好ましい。
【００９２】
計測部は、上記の神経活動記録装置、脳波計、脳磁計、ｆＭＲＩ装置、ＮＩＲＳ装置、ポジトロン断層計測装置などを用いることができる。
【００９３】
次に、本実施形態に係る情報取得装置の一例である、ストレスに関する情報を評価する評価装置について図５を用いて説明する。
【００９４】
本実施形態に係る評価装置５０１は、感覚刺激によって被験者に与えられるストレスを評価する装置である。評価装置５０１は、被験者５０２の視覚野、聴覚野、平衡感覚野のうちいずれかの領野に対して、経時変化する刺激を与える第一の刺激付与部５０３と、前記領野における少なくとも一つの領域の脳活動を計測する計測部５０４と、前記感覚刺激によって前記被験者に対して刺激を与える、第二の刺激付与部５０５と、前記計測部で計測された脳活動に基づいて、前記ストレスを評価する評価部５０６と、を少なくとも有する。
【００９５】
そして、計測部は、前記第二の刺激付与部によって刺激を与える前、かつ、前記経時変化する刺激を与えているときの脳活動、及び、前記第二の刺激付与部によって刺激を与えた後、かつ、前記経時変化する刺激を与えているときの脳活動を計測する。また、評価部は、前記第二の刺激付与部によって刺激を与える前に前記計測部によって計測された脳活動のデータと、前記第二の刺激付与部によって刺激を与えた後に前記計測部によって計測された脳活動のデータに基づいてストレスを評価する。このように、本実施形態に係るストレスの評価装置を用いれば、前頭葉のような高次機能をつかさどる領野ではなく、視覚野、聴覚野、平衡感覚野といった感覚情報処理の初期過程を担う領野における領域の脳活動を計測することで、感覚刺激が被験者に与えるストレスを評価することができる。そのため、感覚刺激が与えるストレスの評価の際に、感覚刺激以外の要因が入りにくい。したがって本実施形態に係る評価装置は、感覚刺激が被験者に与える刺激以外の要因による影響を受けにくいため、感覚刺激によって与えるストレスを高い精度で評価することができる。
【００９６】
評価の具体的な方法は、例えば、前記第二の刺激付与部によって刺激を与える前に前記計測部によって計測された脳活動のデータから、図４の式（Ｉ）を用いて算出された同調度の値と、前記第二の刺激付与部によって刺激を与えた後に前記計測部によって計測された脳活動のデータから、図４の式（Ｉ）を用いて算出された同調度の値との差分に基づいてストレスを評価することができる。同調度の値を算出する方法は上記の通りである。
【００９７】
本実施形態に係る評価装置を用いてストレスを評価する方法について具体的に説明する。まず、被験者５０２の視覚野、聴覚野、平衡感覚野のうちいずれかの領野に対して、第一の刺激付与部５０３を用いて経時変化する刺激を与える。そして、経時変化する刺激を与えられているときの、前記領野における少なくとも一つの領域の脳活動を計測部５０４によって計測する。その後、第二の刺激付与部５０５を用いて、感覚刺激によって被験者５０２に対してストレスを与える。その後、第一の刺激付与部５０３によって付与した経時変化する刺激と略同一の刺激を、第一の刺激付与部５０３を用いて、前記領野に対して与える。そして、略同一の刺激を与えられているときの、前記領野における少なくとも一つの領域の脳活動を計測部５０４によって計測する。そして、経時変化する刺激を与えられているときに計測された脳活動のデータと、略同一の刺激を与えられているときに計測された脳活動のデータとに基づいて、ストレスを評価する。なお、本実施形態にかかるストレスの評価装置は、制御部５１０によって第一の刺激付与部５０３、計測部５０４、第二の刺激付与部５０５、ストレスを評価する評価部５０６を制御することができる。例えば、第一の刺激付与部５０３で周期的に変わる映像を呈示する場合、周期的な変化を制御部５１０によって行うことができる。また、脳活動の計測のタイミングを制御部５１０によって自動で制御することができる。なお、本実施形態に係る評価装置は上記制御部５１０を用いずに手動で操作することもできる。
【００９８】
（プログラム）
本実施形態に係るプログラムの一例は、感覚刺激が与えられた生体からの脳活動情報を取得する情報取得プログラムであって、上記（１）から（６）の工程を含む工程を実行させることを特徴とする。
【００９９】
本実施形態に係るプログラムの他の例は、感覚刺激が与えられた生体からの脳活動情報を取得する情報取得プログラムであって、上記の情報取得装置を用いて脳活動情報を取得する。情報取得装置は、生体の大脳皮質視覚野、大脳皮質聴覚野、大脳皮質平衡感覚野のうち少なくともいずれか一つの領野に対して、経時変化する刺激を与える刺激付与部と、前記領野の脳活動を計測する計測部と、前記計測部に、前記刺激付与部によって前記領野に対して経時変化する刺激を与えているときの前記領野の脳活動を計測させるための計測制御部とを有する。本例のプログラムは、この情報取得装置を用いて、生体の大脳皮質視覚野、大脳皮質聴覚野、大脳皮質平衡感覚野のうち少なくともいずれか一つの領野に対して感覚刺激を与える前及び後に、それぞれ、刺激付与部によって前記領野に対して経時変化する刺激を与えるとともに、前記領野における少なくとも一つの領域の脳活動を計測する工程を実行させることによって脳活動情報を取得する。
【０１００】
本実施形態に係る情報取得プログラムによって取得される脳活動情報は、ストレスに関する情報であってもよい。ストレスに関する情報を取得することで、感覚刺激が生体に与えるストレスを評価することができる。ストレスの評価の具体的なプロセスは、上記の通りである。
【０１０１】
本実施形態に係るプログラムは、記録媒体に記録されたものであってもよいし、インターネットからダウンロードされたものであってもよい。プログラムは、コンピュータによって読み取り可能である。
【０１０２】
（記録媒体）
本実施形態に係る記録媒体の一例は、感覚刺激が与えられた生体からの脳活動情報を取得する情報取得プログラムが記録された記録媒体であって、上記（１）から（６）の工程を含む工程を実行させるための情報取得プログラムを記録したコンピュータ読み取り可能な記録媒体である。
【０１０３】
本実施形態に係る記録媒体の他の例は、上記の情報取得装置を用いて感覚刺激が与えられた生体からの脳活動情報を取得する情報取得プログラムを記録した記録媒体である。情報取得装置は、生体の大脳皮質視覚野、大脳皮質聴覚野、大脳皮質平衡感覚野のうち少なくともいずれか一つの領野に対して、経時変化する刺激を与える刺激付与部と、前記領野における少なくとも一つの領域の脳活動を計測する計測部と、計測部に、刺激付与部によって前記領野に対して経時変化する刺激を与えているときの前記領野における少なくとも一つの領域の脳活動を計測させるための計測制御部とを有する。本例の記録媒体は、この情報取得装置を用いて、生体の大脳皮質視覚野、大脳皮質聴覚野、大脳皮質平衡感覚野のうち少なくともいずれか一つの領野に対して感覚刺激を与える前及び後に、それぞれ、刺激付与部によって前記領野に対して経時変化する刺激を与えるとともに、前記領野における少なくとも一つの領域の脳活動を計測する工程を実行させることによって脳活動情報を取得する情報取得プログラムを記録したコンピュータ読み取り可能な記録媒体である。
【０１０４】
本実施形態に係る記録媒体を用いることによって取得される脳活動情報は、ストレスに関する情報であってもよい。ストレスに関する情報を取得することで、感覚刺激が生体に与えるストレスを評価することができる。ストレスの評価の具体的なプロセスは、上記の通りである。
記録媒体として、ＣＤ（ＣＤＲ、ＣＤＲＷなど）、ＤＶＤ（ＤＶＤＲ，ＤＶＤＲＷなど），フラッシュメモリ、ハードディスク、磁気テープ、フロッピー（登録商標）ディスクなどが挙げられる。
【実施例】
【０１０５】
本発明の実施例について説明するが、本発明はこれらに限られない。
【０１０６】
本実施例では、感覚刺激が視覚刺激である場合について説明する。ｆＭＲＩ装置を用いて脳活動を計測した。当該視覚刺激は、被験者（以下、視聴者と記す）に対して動揺感を与える映像（以下、被評価映像と記す）であり、このような映像は視聴者に映像酔いを発生せしめることがある。経時変化する刺激としては、下記に詳述する基準映像を用いる。
【０１０７】
本実施例で取得される脳活動情報は脳血流変化のデータであり、取得される脳血流変化のデータにはストレスに関する情報が含まれ、このストレスに関する情報に基づいて、視聴者に呈示される被評価映像が視聴者に与えるストレスを評価することができる。
【０１０８】
本実施例では、この被評価映像が視聴者に与えるストレスを以下の（実施手順）を実行することで評価する。
【０１０９】
（実施手順）
本実施例は以下の６つの工程から成る。
（１）  視聴者に対して基準映像を呈示する工程
（２）  （１）の工程における視聴者の脳血流を計測する工程
（３）  視聴者に対して被評価映像を呈示する工程
（４）  視聴者に対して基準映像を呈示する工程
（５）  （４）の工程における視聴者の脳血流を計測する工程
（６）  （２）及び（５）で計測された脳血流のデータに基づいて、被評価映像によって視聴者に与えられるストレスを評価する工程
【０１１０】
本実施例において、脳血流の計測はｆＭＲＩ装置を用いて行う。図６は本実施例に係るｆＭＲＩ装置の断面図である。視聴者６０１は、ｆＭＲＩ装置に付属した寝台６０２に横たわり、傾斜磁場コイル６０３、及び超伝導磁石６０４が備えられた筒状の計測部内に配置される。計測部内には視聴者６０１の眼前にスクリーン６０５が備えられており、制御用コンピュータ６０６によって制御されたビデオプロジェクタ６０７によって計測部外から映像を投射する。被験者の後頭部には信号検出用コイル６０８が設置されており、神経細胞の活動電位の変化に伴って生じる脳血流変化に相関した電磁波信号を検出する。ビデオプロジェクタ６０７は制御用コンピュータ６０６によって制御され、被評価映像の表示・非表示や評価結果の表示などが行われる。
【０１１１】
次に、各工程の詳細について説明する。
【０１１２】
（１）  視聴者に対して基準映像を呈示する工程
本実施例では、経時変化する視覚刺激として、図７（ａ）に示すファン様の模様が回転・静止を交互に繰り返す映像（基準映像）を用いた。基準映像として、図７（ｂ）に示すように、ファン模様の１８秒間の回転とそれに続く１８秒間の静止とを６回繰り返す計２１６秒間の映像を用いた。
【０１１３】
（２）  （１）の工程における視聴者の脳活動を計測する工程
（１）の工程を行っているときの、基準映像に対する視聴者の脳血流を計測する。本実施例では視覚刺激に対する視覚野の脳血流を計測した。
【０１１４】
本実施例に記載する脳血流データ、すなわち脳活動信号は次のような環境で取得した。
【０１１５】
脳機能画像は臨床用１．５テスラＭＲＩ装置ＳＩＧＮＡ−ＨＯＲＩＺＯＮ（Ｇｅｎｅｒａｌ  Ｅｌｅｃｔｒｉｃ社製）を用いて撮像を行った。視覚野の脳機能画像を撮像する際には、後頭葉近傍の脳活動信号を高感度に計測するため、後頭部を覆う表面コイルを使用した。脳機能画像は被験者の鳥距溝とほぼ垂直に、後頭極から前頭側へ向かって互いに平行な２２枚を撮像した。繰り返し時間（ＴＲ）は３秒、ボクセルサイズは１．５×１．５×４ｍｍ３とした。
【０１１６】
脳機能画像の撮像に先立って、位相符号化法（“Ｒｅｔｉｎｏｔｏｐｉｃ  ｏｒｇａｎｉｚａｔｉｏｎ  ｉｎ  ｈｕｍａｎ  ｖｉｓｕａｌ  ｃｏｒｔｅｘ  ａｎｄ  ｔｈｅ  ｓｐａｔｉａｌ  ｐｒｅｃｉｓｉｏｎ  ｏｆ  ｆｕｎｃｔｉｏｎａｌ  ＭＲＩ”Ｓ  Ａ  Ｅｎｇｅｌ，Ｇ  Ｈ  Ｇｌｏｖｅｒ  ａｎｄ  Ｂ  Ａ  Ｗａｎｄｅｌｌ  ＣｅｒｅｂｒａｌＣｏｒｔｅｘ，（１９９７）７（２）：１８１−１９２．）を用いて視聴者の後頭葉に分布する複数の視覚野を同定した。脳機能画像の撮像後、位相符号化法を用いて予め同定した各視覚野ごとに脳機能画像の各信号値を脳活動時系列データとしてサンプリングした。計測対象としたのは、視覚野の、Ｖ１（Ｖ１ｄ、Ｖ１ｖ）、Ｖ２（Ｖ２ｄ、Ｖ２ｖ）、Ｖ３、Ｖ３Ａ、Ｖ４（Ｖ４ｄ、Ｖ４ｖ）、ＭＴ野、ＭＳＴ野、Ｖ７、ＶＰ野、の各領野で、大脳左半球、大脳右半球の両方について計測した。
【０１１７】
前記脳活動時系列データの１つを図８に示す。基準映像に含まれる動画像が開始すると、当該動画像に対して視覚野の神経細胞は応答し、脳活動信号は上昇を始めた。当該動画像は１８秒間継続した後、引き続き静止画像が１８秒間呈示された。静止画像が呈示されている間、視覚野における神経細胞は当該静止画像に順応し、脳活動信号は下降した。前記動画像と静止画像とを６回繰り返すと、大脳視覚野の脳活動信号はそれに応じて上昇・下降を６回繰り返す正弦波状の応答を示した。
【０１１８】
（３）  視聴者に対して被評価映像を呈示する工程
（１）及び（２）の工程に続いて、本実施例では視聴者に対し被評価映像として視聴者に映像酔いを発生せしめる映像を呈示した。
【０１１９】
（４）  視聴者に対して基準映像を呈示する工程
（３）の工程に続いて、（１）の工程で視聴者に呈示した基準映像を再び視聴者に呈示した。
【０１２０】
（５）  （４）の工程における視聴者の脳活動を計測する工程
（４）の工程に際して、前記基準映像に対する被験者の脳活動を計測した。計測対象の脳部位は、（２）の工程と同様、視覚野の、Ｖ１（Ｖ１ｄ、Ｖ１ｖ）、Ｖ２（Ｖ２ｄ、Ｖ２ｖ）、Ｖ３、Ｖ３Ａ、Ｖ４（Ｖ４ｄ、Ｖ４ｖ）、ＭＴ野、ＭＳＴ野、Ｖ７、ＶＰ、の各領野で、大脳左半球、大脳右半球の両方について計測した。
【０１２１】
（６）  （２）及び（５）で計測された脳活動のデータの変化量を基に感覚刺激である映像が被験者にストレスを与えたか否かを判定する工程
（２）、及び（５）で計測された脳活動から導出される同調度を求めた。結果を図９に示す。
なお、同調度は次のようにして算出した。まず、基準映像に含まれる動画像と静止画像の繰り返し周波数である１／３６Ｈｚが基本周波数である。計測した脳活動のデータをフーリエ変換してパワースペクトル強度を求めた。求めたパワースペクトル強度を、図４（ａ）で示す式に代入して同調度を算出した。
なお、脳活動時系列データは、ｆＭＲＩ装置に由来するノイズや脈拍や呼吸によるノイズなど、低周波のノイズ成分を含んでいる。そこで、前処理として前記脳活動時系列データの低周波のノイズ成分を除去することによって、同調度の精度を向上させた。
【０１２２】
このように、被評価映像を呈示する前の視聴者の脳活動から算出した同調度の値（Ａ）に比べて、被評価映像を呈示した後の視聴者の脳活動から算出した同調度の値（Ｂ）の方が小さい。したがって、（Ａ）と（Ｂ）の差分を算出し、差分が大きい場合は、被評価映像が人体に与えるストレスが大きく、差分が小さい場合は、被評価映像が人体に与えるストレスが小さいと評価できる。
【図１】
2013233424.tif 000005
【図２】
2013233424.tif 000006
【図３】
2013233424.tif 000007
【図４】
2013233424.tif 000008
【図５】
2013233424.tif 000009
【図６】
2013233424.tif 000010
【図７】
2013233424.tif 000011
【図８】
2013233424.tif 000012
【図９】
2013233424.tif 000013